(57)【要約】【課題】常にホール補正フィルタの回転中心を、前面パネル中心と光源とを結ぶ直線上に存在させることによりホールサイズのばらつきを抑え、はみだし現象を抑制する。【解決手段】ＸＹ平面ガイドにより前面パネル６の位置調整作動に同期してホール補正フィルタ３をＸＹ方向に移動させることにより、ホール補正フィルタ３の回転中心Ｌ’1が、前面パネル６の中心と光源１とを結ぶ直線Ｌ2上に位置するように調整する。このことによって、前面パネル６の蛍光体塗布面において、ＢＧＲが所定の位置に正しく露光されることになる。【選択図】    図３
2004199890.tif 000002
【特許請求の範囲】
【請求項１】
カラーブラウン管パネル内面に対して、光源からレンズ系，ホール補正フィルタを介して出射した光線によって露光を行うことによって、蛍光面を形成するカラーブラウン管の蛍光面形成用露光装置において、
前記カラーブラウン管パネルのＸＹ平面上における位置調整を行うパネル位置調整機構と、前記カラーブラウン管パネルとレンズ系との間に設けられるホール補正フィルタにおける回転軸のＸＹ平面上における位置調整を行う回転中心調整機構とを備えたことを特徴とするカラーブラウン管の蛍光面形成用露光装置。
【請求項２】
カラーブラウン管の蛍光面形成用露光装置によって、カラーブラウン管パネル内面に蛍光面形成のための露光が行われるカラーブラウン管において、
前記カラーブラウン管パネルのＸＹ平面上における位置調整を行うパネル位置調整機構と、前記カラーブラウン管パネルとレンズ系との間に設けられるホール補正フィルタにおける回転軸のＸＹ平面上における位置調整を行う回転中心調整機構とを備えたカラーブラウン管の蛍光面形成用露光装置によって前記蛍光面が形成されたことを特徴とするカラーブラウン管。
【発明の詳細な説明】
【０００１】
【発明の属する技術分野】
本発明は、カラーブラウン管パネル内面に蛍光面形成のための露光を行うカラーブラウン管の蛍光面形成用露光装置、およびその蛍光面形成用露光装置によって蛍光面が形成されるカラーブラウン管に関する。
【０００２】
【従来の技術】
カラーブラウン管の蛍光面形成用露光装置は、カラーブラウン管の色彩表示部を構成する前面パネルの内面にＢ（青），Ｇ（緑），Ｒ（赤）の蛍光膜パターンを形成するための装置である（例えば特許文献１参照）。
【０００３】
図６は蛍光面形成用露光装置の一例の構成図であり、露光装置内には、カラーブラウン管における電子銃に相当する例えば超高圧水銀ランプなどの光源１と、光源１から出射された光線を電子ビームの軌跡に近似させるカラーブラウン管における偏向ヨークに相当する補正レンズ系２、光源１から出射された光線におけるパネル内部での照度分布を補正するホール補正フィルタ３などが設置されている。
【０００４】
さらに、露光装置の外枠４の上面には、ブラウン管におけるシャドウマスク５を備えた前面パネル６を所定の位置にセッティングするための規制ピン７が設けられており、正確なピッチにてＢＧＲの蛍光膜パターンを形成するために、前面パネル６を、ＸＹ方向（前面パネル６の中心と光源１とを結ぶ直線に対して垂直な平面方向）における位置調整のために移動させる機構（図示せず）を備えている。
【０００５】
【特許文献１】
特開平１０−１４４２１９号公報
【０００６】
【発明が解決しようとする課題】
ところで、光源１から出射された光線のパネル内部における照度分布を補正するホール補正フィルタ３は、光源１を通るＺ軸（前面パネル６の中心と光源１を結ぶ直線）を中心軸として回転しており、その回転中心は固定して設定されており、そのため正確なピッチでＢＧＲの蛍光膜パターンを形成するために、前面パネル６をＸＹ方向に位置調整すると、ホール補正フィルタ３の回転中心が前面パネル６の中心と光源１とを結ぶ直線上からずれてしまっていた。
【０００７】
前記ずれが生じても、従来の偏向角１０８°以下のカラーブラウン管あるいはＢＧＲのピッチが比較的大きいカラーブラウン管において蛍光膜パターンを形成する場合には、光源から蛍光膜形成面までの距離が長かったり、あるいはブラックストライプの幅が大きいため、ＢＧＲが所定の位置から他色の位置にはみ出す、いわゆる、はみだし現象は生じにくかった。
【０００８】
ところが、カラーブラウン管における全長の短縮傾向、あるいは解像度向上のためのＢＧＲピッチの縮小化に伴い、特に前面パネルにおけるコーナー部において前記はみだし現象が顕著に生じている。これはホールサイズのばらつきを抑えるためのホール補正フィルタの回転中心が、前面パネル中心と光源とを結ぶ直線上からずれていることに起因する。
【０００９】
本発明は、前記問題点を解決するため、常にホール補正フィルタの回転中心を、前面パネル中心と光源とを結ぶ直線上に存在させることによりホールサイズのばらつきを抑え、はみだし現象を抑制することができるようにしたカラーブラウン管の蛍光面形成用露光装置、およびその蛍光面形成用露光装置によって蛍光面が形成されるカラーブラウン管を提供することを目的とする。
【００１０】
【課題を解決するための手段】
前記目的を達成するため、本発明は、カラーブラウン管パネルのＸＹ平面上における位置調整を行うパネル位置調整機構と、前記カラーブラウン管パネルとレンズ系との間に設けられるホール補正フィルタにおける回転軸のＸＹ平面上における位置調整を行う回転中心調整機構とを備え、両調整機構を同期して作動させることにより、常にホール補正フィルタの回転中心を、前面パネル中心と光源とを結ぶ直線上に存在させるようにして、ホールサイズのばらつきを抑え、はみだし現象を抑制することができるようにしたものである。
【００１１】
【発明の実施の形態】
以下、本発明の好適な実施形態について図面を参照しながら説明する。
【００１２】
図１は本発明の実施形態を説明するためのカラーブラウン管の蛍光面形成用露光装置における要部を示す斜視図であり、装置の基本的な構成は図６にて説明したものと同様であって、図６を参照して本実施形態を説明する。なお図６にて説明した部材に対応するものは同一符号を付して詳しい説明は省略する。
【００１３】
既述したように装置本体の外枠４の上部には、カラーブラウン管の表示部に相当する前面パネル６が規制ピン７により所定の位置にセッティングされている。前面パネル６の内面にはシャドウマスク５が設けられており、シャドウマスク５の内面が外枠４側に対向して配置されている。
【００１４】
外枠４には、光源１と、補正レンズ２と、ホール補正フィルタ３とが内設されている。さらに枠体４の上面には正確なピッチでＢＧＲの蛍光膜パターンを形成するために前面パネル６におけるＸＹ平面上における位置調整を行うパネル位置調整機構（図示せず）を備えている。このパネル位置調整機構の駆動源としては、例えばサーボモータあるいはステッピングモータを使用することができる。
【００１５】
図１はホール補正フィルタの回転中心をＸＹ方向に移動調整する回転中心調整機構を示す斜視図であり、８は、ホール補正フィルタ３の回転中心Ｌ1をＸＹ方向に揺動するためのＸＹ平面ガイドである。このＸＹ平面ガイド８における揺動駆動の駆動源としては、例えばサーボモータあるいはステッピングモータを使用することができる。
【００１６】
図２はパネル位置調整機構により前面パネル６のみをＸＹ方向に移動させた場合の説明図であって、この場合、ホール補正フィルタ３の回転中心Ｌ1が、前面パネル６の中心と光源１とを結ぶ直線Ｌ2上からずれている。この結果、前面パネル６の蛍光体塗布面において、ＢＧＲが所定の位置から他色の位置にはみ出すはみだし現象が生じる。図４は、はみだし現象を概念的に表す略図である。
【００１７】
図３はパネル位置調整機構による前面パネル６の位置調整動作に同期して、回転中心調整機構によりホール補正フィルタ３をＸＹ方向に移動するようにした本実施形態の場合の説明図であって、ホール補正フィルタ３の回転中心Ｌ’1が、前面パネル６の中心と光源１とを結ぶ直線Ｌ2上に位置する。この結果、前面パネル６の蛍光体塗布面において、ＢＧＲが所定の位置に正しく露光される。図５は、はみだし現象が生ぜずにＢＧＲが所定の位置に正しく露光された状態を概念的に表す略図である。
【００１８】
本実施形態において、例えば前面パネル６をＸ方向に２ｍｍピッチの揺動させた場合、（光源１と前面パネル６との距離）：（光源１とホール補正フィルタ３との距離）＝４：３とすると、ホール補正フィルタ３をＸ方向に１.５ｍｍピッチで前面パネル６に同期して揺動させれば、ホール補正フィルタ３の回転中心Ｌ’1が、前面パネル６の中心と光源１とを結ぶ直線Ｌ2上に位置する。この結果、前面パネル６の蛍光体塗布面において、受光量のばらつきがなくなり、ホールサイズが一定に保たれ、よって、はみだし現象は生ぜず、ＢＧＲが所定の位置に正しく露光されることになる。
【００１９】
【発明の効果】
以上説明したように、本発明によれば、ホール補正フィルタの回転中心を、前面パネルの調整作動に同期してＸＹ方向に移動調整することができるため、常にホール補正フィルタの回転中心を、前面パネル中心と光源とを結ぶ直線上に位置させることができる。このため、蛍光体塗布面における受光量のばらつきがなくなり、ホールサイズのばらつきが抑えられ、はみだし現象を抑制することができるため、カラーブラウン管において高品質の蛍光膜を形成させることができる。
【図面の簡単な説明】
【図１】本発明の実施形態を説明するためのカラーブラウン管の蛍光面形成用露光装置における要部を示す斜視図
【図２】従来のように前面パネルのみがＸＹ方向に揺動した場合の説明図
【図３】本実施形態において前面パネルに同期してホール補正フィルタがＸＹ方向に揺動する場合の説明図
【図４】図２に示す場合に生じるはみだし現象を概念的に表す略図
【図５】本実施形態においてはみだし現象が生ぜずにＢＧＲが所定の位置に正しく露光された状態を概念的に表す略図
【図６】蛍光面形成用露光装置の一例の構成図
【符号の説明】
１  光源
２  補正レンズ系
３  ホール補正フィルタ
５  シャドウマスク
６  前面パネル
８  ＸＹ平面ガイド
【図１】
2004199890.tif 000003
【図２】
2004199890.tif 000004
【図３】
2004199890.tif 000005
【図４】
2004199890.tif 000006
【図５】
2004199890.tif 000007
【図６】
2004199890.tif 000008